【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
複数種類の無線通信方法で無線通信が可能な無線通信端末と複数種類の無線通信方法で無線通信が可能な画像入出力装置との間で無線による通信を行う無線通信システムにおいて、
前記無線通信端末と前記画像入出力装置とが共通に通信可能な無線通信方法に関する情報を生成する生成手段と、
前記画像入出力装置と前記無線通信端末とが協働して実行するジョブの実行の指示を受け付けた場合、前記ジョブの種類或いは前記無線通信端末に関する情報の少なくともいずれかと、前記生成手段が生成した前記無線通信端末と前記画像入出力装置とが共通に通信可能な無線通信方法に関する情報とに基づいて、前記ジョブの実行のために用いる無線通信方法を選択する選択手段と、
を備えることを特徴とする無線通信システム。
【請求項２】
前記無線通信端末は、前記無線通信端末が備える複数の無線通信方法に関する情報を前記画像入出力装置へ送信する送信手段と、
前記画像入出力装置から前記画像入出力装置とのデータ通信を可能とする無線通信方法に関する情報を取得する取得手段とを更に備え、
前記画像入出力装置は、前記複数の無線通信方法の１つである近接無線通信により前記無線通信端末との間で無線通信を確立する通信手段と、
前記無線通信端末から前記複数の無線通信方法に関する情報を受信する受信手段と、
前記受信した複数の無線通信方法に関する情報に基づいて、前記無線通信端末と前記画像入出力装置とが共通に通信可能な無線通信方法が存在するか否かを判別する判別手段とを更に備えることを特徴とする請求項１記載の無線通信システム。
【請求項３】
前記無線通信端末は、前記画像入出力装置と協働して実行するジョブの起動を、前記複数の無線通信方法の１つである遠隔無線通信による前記画像入出力装置との間の無線通信の確立に応じて行う制御手段を更に備えることを特徴とする請求項１又は２記載の無線通信システム。
【請求項４】
前記生成手段が生成した、前記無線通信端末と前記画像入出力装置とが共通に通信可能な無線通信方法に関する情報を、識別情報として記憶する記憶手段を更に備えることを特徴とする請求項１に記載の無線通信システム。
【請求項５】
前記複数種類の無線通信方法は、ＩＣカードによる近接通信、スペクトラム拡散通信、赤外線通信、及び無線データ通信の少なくとも１つが含まれることを特徴とする請求項１乃至４のいずれか１項に記載の無線通信システム。
【請求項６】
前記無線通信端末に関する情報には、前記無線通信端末と前記画像入出力装置との間で通信を介して協働して実行されるジョブの操作設定情報、及び前記携帯端末装置への電力の供給方法を含む電源情報が含まれることを特徴とする請求項１乃至５のいずれか１項に記載の無線通信システム。
【請求項７】
複数種類の無線通信方法で無線通信が可能な無線通信端末と複数種類の無線通信方法で無線通信が可能な画像入出力装置との間で無線による通信を行う無線通信システムにおける制御方法であって、
前記無線通信端末と前記画像入出力装置とが共通に通信可能な無線通信方法に関する情報を生成する生成工程と、
前記画像入出力装置と前記無線通信端末とが協働して実行するジョブの実行の指示を受け付けた場合、前記ジョブの種類或いは前記無線通信端末に関する情報の少なくともいずれかと、前記生成工程で生成した前記無線通信端末と前記画像入出力装置とが共通に通信可能な無線通信方法に関する情報とに基づいて、前記ジョブの実行のために用いる無線通信方法を選択する選択工程と、
を備えることを特徴とする無線通信システムの制御方法。
【請求項８】
複数種類の無線通信方法で無線通信が可能であり、複数種類の無線通信方法で無線通信が可能な無線通信端末と無線による通信を行う画像入出力装置において、
前記無線通信端末と前記画像入出力装置とが共通に通信可能な無線通信方法に関する情報を生成する生成手段と、
前記無線通信端末と協働して実行するジョブの実行の指示を受け付けた場合、前記ジョブの種類或いは前記無線通信端末に関する情報の少なくともいずれかと、前記生成手段が生成した前記無線通信端末と前記画像入出力装置とが共通に通信可能な無線通信方法に関する情報とに基づいて、前記ジョブの実行のために用いる無線通信方法を選択する選択手段と、
を備えることを特徴とする画像入出力装置。
【請求項９】
複数種類の無線通信方法で無線通信が可能であり、複数種類の無線通信方法で無線通信が可能な無線通信端末と無線による通信を行う画像入出力装置の制御方法において、
前記無線通信端末と前記画像入出力装置とが共通に通信可能な無線通信方法に関する情報を生成する生成工程と、
前記無線通信端末と協働して実行するジョブの実行の指示を受け付けた場合、前記ジョブの種類或いは前記無線通信端末に関する情報の少なくともいずれかと、前記生成工程で生成した前記無線通信端末と前記画像入出力装置とが共通に通信可能な無線通信方法に関する情報とに基づいて、前記ジョブの実行のために用いる無線通信方法を選択する選択工程と、
を備えることを特徴とする画像入出力装置の制御方法。
【請求項１０】
複数種類の無線通信方法で無線通信が可能であり、複数種類の無線通信方法で無線通信が可能な無線通信端末と無線による通信を行う画像入出力装置の制御方法を画像入出力装置に実行させるためのプログラムであって、
前記制御方法は、
前記無線通信端末と前記画像入出力装置とが共通に通信可能な無線通信方法に関する情報を生成する生成工程と、
前記無線通信端末と協働して実行するジョブの実行の指示を受け付けた場合、前記ジョブの種類或いは前記無線通信端末に関する情報の少なくともいずれかと、前記生成工程で生成した前記無線通信端末と前記画像入出力装置とが共通に通信可能な無線通信方法に関する情報とに基づいて、前記ジョブの実行のために用いる無線通信方法を選択する選択工程と、
を備えることを特徴とするプログラム。
【手続補正２】
【補正対象書類名】明細書
【補正対象項目名】発明の名称
【補正方法】変更
【補正の内容】
【発明の名称】無線通信システム及びその制御方法、画像入出力装置及びその制御方法、並びにプログラム
【手続補正３】
【補正対象書類名】明細書
【補正対象項目名】０００１
【補正方法】変更
【補正の内容】
【０００１】
本発明は、複数種類の無線通信方法で無線通信が可能な無線通信端末と画像入出力装置との間でデータ通信を行う際に、当該複数種類の無線通信方法から最適なものを選択する無線通信システム及びその制御方法、画像入出力装置及びその制御方法、並びにプログラムに関する。
【手続補正４】
【補正対象書類名】明細書
【補正対象項目名】０００４
【補正方法】変更
【補正の内容】
【０００４】
本発明は、上記問題に鑑みて成されたものであり、複数種類の無線通信方法からユーザの使用環境に最適な無線通信方法を選択することが可能となり、ユーザの利便性を向上させることができる無線通信技術を提供することを目的とする。
【手続補正５】
【補正対象書類名】明細書
【補正対象項目名】０００５
【補正方法】変更
【補正の内容】
【０００５】
上記目的を達成するために、請求項１記載の無線通信システムは、複数種類の無線通信方法で無線通信が可能な無線通信端末と複数種類の無線通信方法で無線通信が可能な画像入出力装置との間で無線による通信を行う無線通信システムにおいて、前記無線通信端末と前記画像入出力装置とが共通に通信可能な無線通信方法に関する情報を生成する生成手段と、前記画像入出力装置と前記無線通信端末とが協働して実行するジョブの実行の指示を受け付けた場合、前記ジョブの種類或いは前記無線通信端末に関する情報の少なくともいずれかと、前記生成手段が生成した前記無線通信端末と前記画像入出力装置とが共通に通信可能な無線通信方法に関する情報とに基づいて、前記ジョブの実行のために用いる無線通信方法を選択する選択手段と、を備えることを特徴とする。
【手続補正６】
【補正対象書類名】明細書
【補正対象項目名】０００６
【補正方法】変更
【補正の内容】
【０００６】
上記目的を達成するために、請求項７記載の無線通信システムの制御方法は、複数種類の無線通信方法で無線通信が可能な無線通信端末と複数種類の無線通信方法で無線通信が可能な画像入出力装置との間で無線による通信を行う無線通信システムにおける制御方法であって、前記無線通信端末と前記画像入出力装置とが共通に通信可能な無線通信方法に関する情報を生成する生成工程と、前記画像入出力装置と前記無線通信端末とが協働して実行するジョブの実行の指示を受け付けた場合、前記ジョブの種類或いは前記無線通信端末に関する情報の少なくともいずれかと、前記生成工程で生成した前記無線通信端末と前記画像入出力装置とが共通に通信可能な無線通信方法に関する情報とに基づいて、前記ジョブの実行のために用いる無線通信方法を選択する選択工程と、を備えることを特徴とする。
上記目的を達成するために、請求項８記載の画像入出力装置は、複数種類の無線通信方法で無線通信が可能であり、複数種類の無線通信方法で無線通信が可能な無線通信端末と無線による通信を行う画像入出力装置において、前記無線通信端末と前記画像入出力装置とが共通に通信可能な無線通信方法に関する情報を生成する生成手段と、前記無線通信端末と協働して実行するジョブの実行の指示を受け付けた場合、前記ジョブの種類或いは前記無線通信端末に関する情報の少なくともいずれかと、前記生成手段が生成した前記無線通信端末と前記画像入出力装置とが共通に通信可能な無線通信方法に関する情報とに基づいて、前記ジョブの実行のために用いる無線通信方法を選択する選択手段と、を備えることを特徴とする。
上記目的を達成するために、請求項９記載の画像入出力装置の制御方法は、複数種類の無線通信方法で無線通信が可能であり、複数種類の無線通信方法で無線通信が可能な無線通信端末と無線による通信を行う画像入出力装置の制御方法において、前記無線通信端末と前記画像入出力装置とが共通に通信可能な無線通信方法に関する情報を生成する生成工程と、前記無線通信端末と協働して実行するジョブの実行の指示を受け付けた場合、前記ジョブの種類或いは前記無線通信端末に関する情報の少なくともいずれかと、前記生成工程で生成した前記無線通信端末と前記画像入出力装置とが共通に通信可能な無線通信方法に関する情報とに基づいて、前記ジョブの実行のために用いる無線通信方法を選択する選択工程と、を備えることを特徴とする。
上記目的を達成するために、請求項１０記載のプログラムは、複数種類の無線通信方法で無線通信が可能であり、複数種類の無線通信方法で無線通信が可能な無線通信端末と無線による通信を行う画像入出力装置の制御方法を画像入出力装置に実行させるためのプログラムであって、前記制御方法は、前記無線通信端末と前記画像入出力装置とが共通に通信可能な無線通信方法に関する情報を生成する生成工程と、前記無線通信端末と協働して実行するジョブの実行の指示を受け付けた場合、前記ジョブの種類或いは前記無線通信端末に関する情報の少なくともいずれかと、前記生成工程で生成した前記無線通信端末と前記画像入出力装置とが共通に通信可能な無線通信方法に関する情報とに基づいて、前記ジョブの実行のために用いる無線通信方法を選択する選択工程と、を備えることを特徴とする。
【手続補正７】
【補正対象書類名】明細書
【補正対象項目名】０００７
【補正方法】変更
【補正の内容】
【０００７】
本発明によれば、複数種類の無線通信方法からユーザの使用条件に最適な無線通信方法を選択することが可能となり、ユーザの利便性を向上させることができる。